(57)【要約】      （修正有）【課題】磁性によって金属が設けられた部位に吸着でき、且つ、筆軸や紙等の物品の挟持に用いられる挟持装置を提供する。【解決手段】挟持装置は、磁石１０と挟持本体２０を備える。挟持本体は射出成形により磁石の外側を被覆しており、且つ付着部２１と挟持部２２を含み、磁石は付着部内に位置し、磁石と付着部の付着面との間の距離が０．１２ミリメートル以上２．９３ミリメートル以下の範囲にあり、磁石の面積が１２．５６平方ミリメートル以上３１４平方ミリメートル以下の範囲にあり、それによって、付着面が摩損されて割れやすくなることを防止するとともに、磁力に対する遮断を最小に低下させる。挟持部は、挟持通路２２１と開口２２２を含み、ペンの筆軸や各種紙を、挟持通路の内壁面で挟持することができる。【選択図】図２
0003215543.tif 000002
【実用新案登録請求の範囲】
【請求項１】
磁性挟持装置であって、
磁石と、
射出成形により該磁石の外側を被覆しており、弾性を有する材質である挟持本体と、を含み、該挟持本体が付着部と挟持部を含み、該付着部は付着面を有し、該磁石は該付着部内に位置し、且つ該付着面との間に０．１２ミリメートル以上２．９３ミリメートル以下の距離を有し、該挟持部は該付着部から突出して成形され、且つ挟持通路と開口を含み、該挟持通路は該挟持部を貫通し、該開口は該挟持通路の半径方向の一側辺に位置し、且つ該挟持通路に連通する磁性挟持装置。
【請求項２】
該磁石の面積が、１２．５６平方ミリメートル以上３１４平方ミリメートル以下の範囲にあることを特徴とする請求項１に記載の磁性挟持装置。
【請求項３】
該距離は、最小値が０．１２ミリメートル以上０．２１ミリメートル以下の範囲にあり、最大値が０．９８ミリメートル以上２．９３ミリメートル以下の範囲にあることを特徴とする請求項１に記載の磁性挟持装置。
【請求項４】
該挟持部の該開口が該挟持部のトップに位置することを特徴とする請求項１に記載の磁性挟持装置。
【請求項５】
該挟持部が、さらに、該開口の一側における開口周縁から突出して成形されており、且つ他側における開口周縁に向けて延出している第１当接シートを有することを特徴とする請求項１から４のいずれか１項に記載の磁性挟持装置。
【請求項６】
該挟持部が、さらに、該挟持通路の内壁面から突出して成形されており、且つ該第１当接シートに向けて延出している第２当接シートを有し、該第１当接シートは該第２当接シートよりも該開口に近いことを特徴とする請求項５に記載の磁性挟持装置。
【請求項７】
該挟持部の該開口から該挟持通路に向けて観察するとき、該第１当接シートと該第２当接シートは部分的に重なることを特徴とする請求項６に記載の磁性挟持装置。
【請求項８】
該第１当接シートの延出長さが該第２当接シートの延出長さより大きいことを特徴とする請求項６に記載の磁性挟持装置。
【請求項９】
該第１当接シートの該挟持通路に向かう内側面と該挟持通路の内壁面との接続部に、該挟持通路と同様に該挟持部の対向両端まで延びている折り溝が凹設されていることを特徴とする請求項５に記載の磁性挟持装置。
【請求項１０】
該挟持通路は、半部の断面が半円状、別の半部の断面が四分の一の楕円であることを特徴とする請求項１から４のいずれか１項に記載の磁性挟持装置。
【請求項１１】
該挟持通路の断面が長方形であることを特徴とする請求項１から４のいずれか１項に記載の磁性挟持装置。
【請求項１２】
該挟持通路の対向両側の開口周縁にそれぞれ案内部が突設され、２つの該案内部は案内チャネルを挟み、且つ該案内チャネルの幅が該挟持通路に向けて縮小していくことを特徴とする請求項１１に記載の磁性挟持装置。
【請求項１３】
該挟持通路の対向両側の内壁面にそれぞれ複数の可撓性凸条が突設されていることを特徴とする請求項１１に記載の磁性挟持装置。
【請求項１４】
これらの可撓性凸条が該開口に背向して傾斜していることを特徴とする請求項１３に記載の磁性挟持装置。
【請求項１５】
該磁石が円盤状で、且つ立設されていることを特徴とする請求項１から４のいずれか１項に記載の磁性挟持装置。
【考案の詳細な説明】
【技術分野】
【０００１】
本考案は、磁性によって金属が設けられた部位に吸着でき、且つ、物品の挟持に用いられる装置、特にオフィスで筆軸又は紙を挟持するための装置に関するものである。
【背景技術】
【０００２】
従来技術では、磁石にラック本体を射出により被覆した磁性ラック装置があり、該ラック本体は、立設されたディスクと横方向に延びて様々な物品を掛けるロッドとを含み、磁石は、ディスク内に位置し、ディスクの一側面は金属に付着するための付着面であり、ディスクのほかの側面からは該横方向に延びているロッドは突出している。
【０００３】
さらに、ディスク内にある磁石がディスクの付着面に隣接するが、磁石と付着面の間に距離があり、言い換えれば、磁石と付着面の間にフィルム（該フィルムは本質的にディスクの一部分である）があって、該フィルムの厚みが磁石の磁気吸引力に影響を与え、フィルムの厚みが大きいほど、磁石の磁気吸引力を遮断し、その反面、フィルムが薄すぎると、摩損により割れやすくなり、さらに磁石を露出させ、このため、フィルムの厚みと磁石の大きさは、磁力と耐摩耗性をバランスよくするための特定の関係を持っている。
【０００４】
そのほか、従来技術では、ラック本体は物品を掛けることのみに使用され、用途が制限されてしまい、ペンや各種紙（ノート紙、名刺）等の固定に利用できない。
【考案の概要】
【考案が解決しようとする課題】
【０００５】
上記従来技術の欠点及び欠陥に鑑み、本考案は、磁性挟持装置の磁力と耐摩耗性をバランスよくするために、フィルムの厚みと磁石の大きさの好適な範囲を特定する磁性挟持装置を提供する。
【課題を解決するための手段】
【０００６】
上記考案の目的を実現するために、本考案に使用される技術案は、磁性挟持装置であって、
磁石と、
射出成形により該磁石の外側を被覆しており、且つ弾性を有する材質である、挟持本体とを含み、該挟持本体は付着部と挟持部を含み、該付着部は付着面を有し、該磁石は該付着部内に位置し、且つ該付着面との間に０．１２ミリメートル以上２．９３ミリメートル以下の距離があり、該挟持部は該付着部から突出して成形され、且つ挟持通路と開口を含み、該挟持通路は該挟持部を貫通し、該開口は該挟持通路の半径方向の一側辺に位置し、且つ該挟持通路に連通する磁性挟持装置を設けている。
【０００７】
本考案は、磁石と付着面の間の距離を０．１２ミリメートル以上２．９３ミリメートル以下とすることによって、該挟持本体の付着面が摩損されて割れやすくなることを防止するとともに、磁石の磁力に対する遮断を最小にし、更に本考案を金属が設けられた部位に安定的に吸着させることが可能となり、さらに、挟持部に挟持通路と開口を設置することによって、ペンの筆軸や各種紙を該開口又は該挟持通路の両端から該挟持通路内に入れて、挟持通路の内壁面で挟持することが可能となり、それによって各種物品の挟持に用いられることが可能となるという利点を有する。
【０００８】
さらに、前記磁性挟持装置では、該磁石の面積が１２．５６平方ミリメートル以上３１４平方ミリメートル以下の範囲にある。
【０００９】
さらに、前記磁性挟持装置では、該距離は、最小値が０．１２ミリメートル以上０．２１ミリメートル以下の範囲、最大値が０．９８ミリメートル以上２．９３ミリメートル以下の範囲にある。
【００１０】
さらに、前記磁性挟持装置では、該挟持部の該開口が該挟持部のトップに位置する。
【００１１】
さらに、前記磁性挟持装置では、該挟持部はさらに、該開口の一側における開口周縁から突出して成形され、且つ他側における開口周縁に向けて延出している第１当接シートを有する。
【００１２】
さらに、前記磁性挟持装置では、該挟持部はさらに、該挟持通路の内壁面から突出して成形され、且つ該第１当接シートに向けて延出している第２当接シートを有し、該第１当接シートは該第２当接シートよりも該開口に近い。
【００１３】
さらに、前記磁性挟持装置では、該挟持部の該開口から該挟持通路に向けて観察するとき、該第１当接シートと該第２当接シートは部分的に重なる。
【００１４】
さらに、前記磁性挟持装置では、該第１当接シートの延出長さが該第２当接シートの延出長さより大きい。
【００１５】
さらに、前記磁性挟持装置では、該第１当接シートの該挟持通路に向かう内側面と該挟持通路の内壁面との接続部に、該挟持通路と同様に該挟持部の対向両端まで延びている折り溝が凹設される。
【００１６】
さらに、前記磁性挟持装置では、該挟持通路は、半部の断面が半円状、ほかの半部の断面が四分の一の楕円である。
【００１７】
さらに、前記磁性挟持装置では、該挟持通路の断面が長方形である。
【００１８】
さらに、前記磁性挟持装置では、該挟持通路の対向両側の開口周縁にそれぞれ案内部が突設されており、２つの該案内部は案内チャネルを挟んで、且つ該案内チャネルの幅が該挟持通路に向けて縮小していく。
【００１９】
さらに、前記磁性挟持装置では、該挟持通路の対向両側の内壁面にそれぞれ複数の可撓性凸条が突設されている。
【００２０】
さらに、前記磁性挟持装置では、該可撓性凸条は該開口に背向して傾斜する。
【００２１】
さらに、前記磁性挟持装置では、該磁石は円盤状で且つ立設される。
【図面の簡単な説明】
【００２２】
【図１】本考案の第１実施例の外観斜視図である。
【図２】本考案の第１実施例の側面断面図である。
【図３Ａ】本考案の第１実施例の使用形態の側面模式図である。
【図３Ｂ】本考案の第１実施例の使用形態の側面模式図である。
【図４】本考案の第１実施例の使用形態の側面模式図である。
【図５】本考案の第１実施例の使用形態の側面模式図である。
【図６】本考案の第２実施例の側面断面図である。
【図７】本考案の第３実施例の外観斜視図である。
【図８】本考案の第３実施例の別の角度からの外観斜視図である。
【図９】本考案の第３実施例の側面断面図である。
【考案を実施するための形態】
【００２３】
以下、図面及び本考案の好適な実施例を組み合わせて、本考案の目的を実現するために使用される技術案についてさらに説明する。
【００２４】
図１及び図２に示されるように、本考案に係る磁性挟持装置の第１実施例は、磁石１０と挟持本体２０を備える。
【００２５】
本実施例では、磁石１０は円盤状で且つ立設されているが、それに制限されず、該磁石１０の断面は長方形、三角形、五角形、六角形、多角形又はハート形等の形状であってもよい。磁石１０の材質は、フェライト又はネオジム磁石、好ましくはネオジム磁石である。
【００２６】
挟持本体２０は、射出成形により磁石１０外を被覆され、且つ、付着部２１と挟持部２２を含む。
【００２７】
付着部２１は付着面２１１を有し、磁石１０は付着部２１内に位置し、磁石１０の一側面と付着面２１１との間に距離Ｄ１があり、該距離Ｄ１は射出成形してから磁石１０に被覆したフィルムの厚みであり、０．１２ミリメートル以上２．９３ミリメートル以下の範囲にある。
【００２８】
好適な実施例では、磁石１０の面積が１２．５６平方ミリメートルから３１４平方ミリメートルの間にあり、磁石１０と付着面２１１の距離Ｄ１は、最小値が０．１２ミリメートルから０．２１ミリメートルの間、最大値が０．９８ミリメートルから２．９３ミリメートルの間になり、ここで、該距離Ｄ１の最小値とは、磁石１０がフィルムにより被覆されて成形可能な最小値のことであり、該距離Ｄ１の最大値とは、磁石１０がフィルムにより被覆されるようになっていない場合に吸着して固定可能な紙の総厚みのことであり、該距離Ｄ１が該総厚みを超えると（設定の紙の数を超える）、磁石１０は金属が設けられた部位に吸着して固定できず、落ちてしまうようになり、距離Ｄ１の最小値及び最大値が磁石１０の面積によって変化しているが、磁石１０の面積範囲及び距離Ｄ１の範囲は上記に制限されない。
【００２９】
上記寸法範囲では、本考案の磁石の面積とフィルムの厚みの各寸法は以下のように組み合わせることができる。
【表１】
0003215543.tif 000003
【００３０】
図１及び図２に示されるように、挟持部２２は付着部２１から突出して成形され、具体的には、挟持部２２と付着面２１１はそれぞれ付着部２１の対向両側に位置し、挟持部２２は挟持通路２２１、開口２２２、第１当接シート２２３及び第２当接シート２２４を含む。
【００３１】
挟持通路２２１は挟持部２２を貫通し、具体的には、挟持通路２２１の延出方向は付着面２１１の法線と互いに直交しているが、それに制限されず、完全に垂直ではなく、僅かに傾斜してもよい。
【００３２】
開口２２２は挟持通路２２１の半径方向の一側辺に位置し、且つ挟持通路２２１に連通し、本実施例では、開口２２２は挟持部２２のトップに位置するが、それに制限されず、挟持すべき物品を開口２２２から挟持通路２２１に入れることができればよく、挟持部２２の側面に位置してもよい。また、挟持通路２２１は挟持部２２を貫通するため、該開口２２２は両側の開口周縁だけを有する。
【００３３】
第１当接シート２２３は、該開口２２２の一側における開口周縁から突出して成形され、且つ他側における開口周縁に向けて延出しており、第２当接シート２２４は、挟持通路２２１の内壁面から突出して成形され、且つ該第１当接シート２２３に向けて延出しており、言い換えれば、第１当接シート２２３と第２当接シート２２４の延出方向が逆である。本実施例では、第１当接シート２２３は該付着部２１から離れた側の開口周縁から突出して成形され、第２当接シート２２４は該付着部２１に近い側の内壁面から突出して成形されるが、それに制限されず、第１当接シート２２３は該付着部２１に近い側の内壁面から突出して成形され、第２当接シート２２４は該付着部２１から離れた側の開口周縁から突出して成形されるように変更してもよい。
【００３４】
本実施例では、第１当接シート２２３は第２当接シート２２４よりも開口２２２に近く、且つ、該開口２２２から挟持通路２２１に向けて観察するとき、第１当接シート２２３と第２当接シート２２４は部分的に重なり、言い換えれば、開口２２２が挟持部２２のトップに位置する場合、第１当接シート２２３は第２当接シート２２４の上方に位置し、上部から下部へ観察するとき、第１当接シート２２３と第２当接シート２２４は部分的に重なり、それによって、優れた被覆効果を実現できるが、それに制限されず、重ならなくてもよい。また、本実施例では、第１当接シート２２３の延出長さが第２当接シート２２４の延出長さより大きいが、同様にそれに制限されない。
【００３５】
本実施例では、第１当接シート２２３は挟持通路２２１に向けて容易に折られるように、第１当接シート２２３の挟持通路２２１に向かう内側面と挟持通路２２１の内壁面との接続部に、挟持通路２２１と同様に挟持部２２の対向両端まで延出している折り溝２２５が凹設されるが、それに制限されず、図６に示されるように、第２実施例では、挟持部２２Ａは折り溝を備えなくてもよい。
【００３６】
ほかの実施例では、挟持部２２は第１当接シートと第２当接シートを有せず、直接挟持通路２２１の内壁面によって物品（たとえば、筆軸や紙）を挟持してもよい。
【００３７】
本実施例では、挟持通路２２１は、半部の断面が半円状、ほかの半部の断面が四分の一の楕円であるが、それに制限されず、ほかの形状に変更してもよく、たとえば、挟持通路２２１の断面は、円形、長方形、三角形、五角形、六角形、多角形又はハート形等の形状であってもよい。
【００３８】
本実施例では、挟持本体２０は、熱可塑性弾性体（ＴＰＥ）又は熱硬化性弾性体（ＴＳＥ）、たとえばゴム又はシリカゲル等の弾性を有する材質であるが、それに制限されない。
【００３９】
本考案を使用するとき、磁石１０と付着面２１１の間の距離の最小値を０．１２ミリメートル以上０．２１ミリメートル以下の範囲であって、最大値を０．９８ミリメートル以上２．９３ミリメートル以下の範囲にすることによって、付着面２１１が摩損されて割れやすくなって、磁石１０を露出させることを防止するとともに、磁石１０の磁力に対する遮断を最小にし、更に本考案が安定的に金属が設けられた部位に吸着されることを可能にする。
【００４０】
最後に、挟持部２２に挟持通路２２１と開口２２２を設置することによって、ペンの筆軸を開口２２２や挟持通路２２１の両端から挟持通路２２１内に入れて、挟持通路２２１の内壁面で挟持することができ、具体的に、本実施例は以下の３種類の異なる外径を有する筆軸を挟持する方式がある。
【００４１】
図３Ａ及び図３Ｂに示されるように、筆軸３０の外径が挟持通路２２１の大きさにほぼ等しい場合、筆軸３０を開口２２２から横方向に挟持通路２２１内に押し込み、又は挟持通路２２１の両端のうちのいずれか一端から挟持通路２２１内に挿入することができ、筆軸３０の挟持通路２２１内側に近い側辺が挟持通路２２１の内壁面に貼り合わせられる。図３Ｂに示されるように、筆軸３０が開口２２２から横方向に挟持通路２２１内に押し込まれる場合、筆軸３０は第１当接シート２２３と第２当接シート２２４を下（内）へ曲げて、その外側面をそれぞれ筆軸３０の両側に当接させ、このとき、折り溝２２５によって第１当接シート２２３を容易に曲げることができる。図３Ａに示されるように、筆軸３０が挟持通路２２１の両端のうちのいずれか一端から挟持通路２２１内に挿入される場合、筆軸３０の外側はそれぞれ第１当接シート２２３の内側面と第２当接シート２２４の内側面に貼り合わせられて第１当接シート２２３と第２当接シート２２４のそれぞれをわずかに外へ押圧し、それによって、挟持通路２２１の内壁面、第１当接シート２２３及び第２当接シート２２４は筆軸３０が容易に離脱することを効果的に防止できる。
【００４２】
図４に示されるように、筆軸３０の外径が挟持通路２２１の大きさより大きい場合、筆軸３０を挟持通路２２１の両端のうちのいずれか一端から挟持通路２２１内に挿入することができ、筆軸３０は挟持通路２２１を少し拡大させ、且つ第１当接シート２２３と第２当接シート２２４を上（外）へ広げ、それによって、挟持通路２２１の内壁面、第１当接シート２２３及び第２当接シート２２４は筆軸３０を効果的に固定できる。
【００４３】
図５に示されるように、筆軸３０の外径が挟持通路２２１の大きさより小さい場合、筆軸３０を開口２２２から横方向に挟持通路２２１内に押し込むことができ、筆軸３０は第１当接シート２２３と第２当接シート２２４を下（内）へ曲げて、その外側面をそれぞれ筆軸３０の両側に当接させ、それによって、筆軸３０を挟持して固定する機能を果たすことができる。
【００４４】
本考案の第１実施例は、弾性を有する挟持部２２及びその挟持通路２２１、第１当接シート２２３及び第２当接シート２２４を設計することによって、各種寸法の筆軸３０を効果的に挟持できるようになる。
【００４５】
図７から図９に示されるように、本考案の第３実施例は上記第１実施例とほぼ同様であるが、第３実施例では、挟持部２２Ｂの挟持通路２２１Ｂの断面が長方形であり、且つ挟持通路２２１Ｂの対向両側の開口周縁にそれぞれ案内部２２６Ｂが突設され、２つの該案内部２２６Ｂはテーパ形状を呈する案内通路２２７Ｂを挟み、すなわち、案内通路２２７Ｂの幅が挟持通路２２１Ｂに向けて縮小していくが、本実施例では、下へ縮小していく。また、挟持通路２２１Ｂの対向両側の内壁面にそれぞれ複数の可撓性凸条２２８Ｂが突設され、且つこれらの可撓性凸条２２８Ｂは該開口２２２Ｂに背向して傾斜しており、即ち、本実施例では、下へ傾斜する。
【００４６】
本第３実施例は、挟持通路２２１Ｂの断面を長方形にして、且つ両側にある可撓性凸条２２８Ｂと組み合わせるような設計によって、紙、たとえば、複数のノート紙や複数の名刺等を簡単に挟持できる。
【００４７】
２つの案内部２２６Ｂを設計することによって、紙を挟持通路２２１Ｂ内に容易に入れることができる。下へ傾斜している可撓性凸条２２８Ｂによっては、紙を可撓性凸条２２８Ｂの間に容易に入れることができるが、紙を上へ引き出しようとすると、多少抵抗が発生することで、紙が容易に落ちることを防止する。
【００４８】
本考案の上記３つの実施例では、それぞれ筆軸及び紙を挟持することを例にして説明したが、筆軸や紙に制限されず、ほかの物品を挟持することもできる。
【００４９】
以上は本考案の好適な実施例に過ぎず、本考案を何らかの形で制限するものではなく、本考案について好適な実施例によって上記のように開示したが、本考案を限定するものではなく、当業者であれば、本考案の技術案から逸脱しない範囲内であれば、上記開示された技術的内容に基づいて変更又は修飾して同等変化となる等価実施例にすることができ、本考案の技術案（技術思想）から逸脱しない内容であれば、本考案の本質的な技術に基づいて以上の実施例について実施される簡単な修正、同等変化や修飾はいずれも本考案の技術案の範囲に属する。
【符号の説明】
【００５０】
Ｄ１      距離
１０      磁石
２０      挟持本体
２１      付着部
２１１    付着面
２２      挟持部
２２１    挟持通路
２２２    開口
２２３    第１当接シート
２２４    第２当接シート
２２５    折り溝
３０      筆軸
２２Ａ    挟持部
２２Ｂ    挟持部
２２１Ｂ  挟持通路
２２２Ｂ  開口
２２６Ｂ  案内部
２２７Ｂ  案内通路
２２８Ｂ  可撓性凸条
【図１】
0003215543.tif 000004
【図２】
0003215543.tif 000005
【図３Ａ】
0003215543.tif 000006
【図３Ｂ】
0003215543.tif 000007
【図４】
0003215543.tif 000008
【図５】
0003215543.tif 000009
【図６】
0003215543.tif 000010
【図７】
0003215543.tif 000011
【図８】
0003215543.tif 000012
【図９】
0003215543.tif 000013